(57)【要約】【課題】  相互に設けられた通信ポートを介してシリアル通信を行う二つの制御手段が異なる電源コードによって個別に商用交流電源に接続される画像形成装置の既存のハード構成を用いて，一方の電源コードが商用交流電源に接続されていないことが原因でシリアル通信に異常が生じている可能性がある場合にその旨をユーザに通知することのできる構成を実現すること。【解決手段】  定着制御部６３が，シリアル通信によりメイン制御部１から送信される定期信号を正常に受信できない場合に，既定間隔で信号レベルが変化するレベル変化信号を出力すると共に，メイン制御部１が，定期信号の送信後，定着制御部６３から返信される応答信号を正常に受信できない場合に，前記レベル変化信号が入力されるか否かを検出し，前記レベル変化信号が検出されない場合に，電源コード９２の接続確認を促す情報を表示するようにする。【選択図】図２
2011209491.tif 000002
【特許請求の範囲】
【請求項１】
相互に設けられた通信ポートを介して所定の通信プロトコルに従ったシリアル通信を行う第１の制御手段及び第２の制御手段と，前記第１の制御手段及び前記第２の制御手段に対して個別に電力を供給するために商用交流電源に接続される第１の電源コード及び第２の電源コードとを備えてなり，前記第２の制御手段が前記第１の制御手段から伝送される制御信号に基づいて所定の制御対象機器を制御するものである画像形成装置であって，
前記第１の制御手段が，前記シリアル通信により前記第２の制御手段に所定間隔で定期信号を送信する定期信号送信手段と，前記定期信号の所定回数の送信後，或いは予め設定された所定期間経過後に，前記第２の制御手段からの応答信号が前記シリアル通信により正常に受信されないことを条件として，前記第１の制御手段の前記通信ポートに既定間隔で信号レベルが変化するレベル変化信号が入力されているか否かを検出するレベル変化信号検出手段と，前記レベル変化信号検出手段により前記レベル変化信号の入力が検出されなかった場合に，前記第２の電源コードの確認を促すための既定の情報を所定の表示手段に表示させる確認表示手段とを備えてなり，
前記第２の制御手段が，前記第１の制御手段から送信される前記定期信号の受信に応答して前記シリアル通信により前記第１の制御手段に前記応答信号を送信する応答信号送信手段と，予め設定された期間内に前記第１の制御手段からの前記定期信号が前記シリアル通信により正常に受信されないことを条件に，前記第２の制御手段の前記通信ポートから前記レベル変化信号を出力する異常時信号出力手段とを備えてなることを特徴とする画像形成装置。
【請求項２】
前記第１の制御手段が，前記レベル変化信号検出手段により前記レベル変化信号の入力が検出された場合に，前記シリアル通信における通信異常である旨を報知する通信異常報知手段を更に備えてなる請求項１に記載の画像形成装置。
【請求項３】
前記既定の情報が，前記第２の電源コードと商用交流電源との接続確認を促す情報である請求項１又は２のいずれかに記載の画像形成装置。
【請求項４】
前記所定の制御対象機器が定着装置である請求項１〜３のいずれかに記載の画像形成装置。
【発明の詳細な説明】
【技術分野】
【０００１】
本発明は，相互に設けられた通信ポートを介して所定の通信プロトコルに従ったシリアル通信を行う二つの制御手段が異なる電源コードによって個別に商用交流電源に接続される画像形成装置に関し，特に，シリアル通信の異常発生時にその異常原因を判別するための技術に関するものである。
【背景技術】
【０００２】
近年，複写機，プリンタ，ファクシミリ等の電子写真方式の画像形成装置は，大型化や高機能化により，装置全体の使用電力が増加する傾向にある。例えば，高速処理のために，記録媒体上にトナーを加熱定着するための熱量が増加したり，カラー化や高精度化のために，高圧負荷やモータ負荷，回路負荷が増加したりして使用電力が増加している。
このように，装置の使用電力が増加傾向にあるので，電源から供給される電力を単一の電源コードで受電するだけでは電力不足が生じることがある。すなわち，例えば日本国内において，通常の単相１００Ｖ交流の電源から一本の電源コードで受電する場合，電流は１５Ａ以内に制限されるので，消費電力が１５Ａを越える画像形成装置では，一本の電源コードでの電力供給が困難になることがある。
そのため，近年の画像形成装置では，複数の電源コードを備え，装置内の電源供給先を，それぞれが一本の電源コードで賄える容量以下となるように分割した形態が採用されているものがある。具体的には，装置全体を統括的に制御する主制御部を含む主装置ユニットに電力を供給するために商用交流電源に接続される電源コードと，特に消費電力が大きい加熱ヒータを備える定着ユニットに電力を供給するための商用交流電源に接続される電源コードとが，別々に設けられているものが知られている（例えば特許文献１参照）。なお，近年の画像形成装置において，定着ユニットに設けられた定着制御部は，主制御部との間で行われるシリアル通信により主制御部から伝送される制御信号に基づいて定着ユニットを制御する。
【０００３】
ところで，このような主装置ユニットと定着ユニットのそれぞれに電力を供給するための電源コードを備える画像形成装置では，当該複数の電源コードのうち１以上の電源コードについて，ユーザが接続をし忘れたり，一旦接続されても何らかの原因で脱落してしまうことがある。このような場合，当然ながら画像形成装置は正常に動作しない。
特に，主装置ユニットに電力を供給する電源コードが正常に接続され，定着ユニットに電力を供給する電源コードが接続されていない場合においては，画像形成装置の主電源はＯＮとなるが，主制御部と定着制御部との間で行われるシリアル通信に異常が発生し，画像形成装置が正常に動作しない状態に陥ることがある。このような場合，ユーザは発生したシリアル通信異常が定着ユニットに電力が供給されていないことによるものなのか，それともそれ以外の原因（例えばノイズ等に起因する通信上の異常）によるものなのかを区別できず，定着ユニットに電力が供給されていないことによるものであったとしても速やかに画像形成装置を正常な状態に復旧することができないといった問題があった。
そこで，特許文献１では，定着ユニットに印加される電圧を検出することにより，定着ユニット用の電源コードが接続されているか否かを判断する接続検出手段を設けることが提案されている。
【先行技術文献】
【特許文献】
【０００４】
【特許文献１】特開２００８−８６１９１号公報
【発明の概要】
【発明が解決しようとする課題】
【０００５】
しかしながら，前記特許文献１の画像形成装置では，定着ユニット用の電源コードが接続されているか否かを判断するための接続検出手段をハード構成として追加する必要があり，コストも増大するという問題がある。
従って，本発明は上記事情に鑑みてなされたものであり，その目的とするところは，相互に設けられた通信ポートを介して所定の通信プロトコルに従ったシリアル通信を行う二つの制御手段が異なる電源コードによって個別に商用交流電源に接続される画像形成装置の既存のハード構成を用いて，一方の電源コードが商用交流電源に接続されていないことが原因でシリアル通信に異常が生じている可能性がある場合にその旨をユーザに通知することのできる構成を実現することにある。
【課題を解決するための手段】
【０００６】
上記課題を解決するために本発明は，相互に設けられた通信ポートを介して所定の通信プロトコルに従ったシリアル通信を行う第１の制御手段及び第２の制御手段と，前記第１の制御手段及び前記第２の制御手段に対して個別に電力を供給するために商用交流電源に接続される第１の電源コード及び第２の電源コードとを備えてなり，前記第２の制御手段が前記第１の制御手段から伝送される制御信号に基づいて所定の制御対象機器を制御するものである画像形成装置に適用されるものである。
そして，本発明に係る画像形成装置では，前記第１の制御手段が，前記シリアル通信により前記第２の制御手段に所定間隔で定期信号を送信する定期信号送信手段と，前記定期信号の所定回数の送信後，或いは予め設定された所定期間経過後に，前記第２の制御手段からの応答信号が前記シリアル通信により正常に受信されないことを条件として，前記第１の制御手段の前記通信ポートに既定間隔で信号レベルが変化するレベル変化信号が入力されているか否かを検出するレベル変化信号検出手段と，前記レベル変化信号検出手段により前記レベル変化信号の入力が検出されなかった場合に，前記第２の電源コードの確認を促すための既定の情報を所定の表示手段に表示させる確認表示手段とを備えている。
また，前記第２の制御手段が，前記第１の制御手段から送信される前記定期信号の受信に応答して前記シリアル通信により前記第１の制御手段に前記応答信号を送信する応答信号送信手段と，予め設定された期間内に前記第１の制御手段からの前記定期信号が前記シリアル通信により正常に受信されないことを条件に，前記第２の制御手段の前記通信ポートから前記レベル変化信号を出力する異常時信号出力手段とを備えている。
なお，前記レベル変化信号は，例えば信号レベル（電圧）が「０」と「１」との間で反転するデジタル信号である。
本発明によれば，前記第１の制御手段が，前記シリアル通信で生じた異常の原因が前記第２の電源コードが前記商用交流電源に接続されていないことである可能性の有無を，前記シリアル通信に用いられる既存のハード構成である前記通信ポートを利用して判断することができるため，前記特許文献１のように電源コードが接続されていないことを検出するためのハード構成を別途設ける必要が無く，構成を簡素化してコストを抑制することができる。そして，前記シリアル通信の異常の原因が前記第２の電源コードが接続されていないことである可能性がある場合には，前記所定の表示手段に対する前記既定の情報の表示によって前記第２の電源コードの接続確認がユーザに促されるため，実際に前記第２の電源コードが接続されていない場合に，前記シリアル通信の異常状態の早期復旧を図ることができる。
【０００７】
ところで，前記レベル変化信号検出手段により前記レベル変化信号の入力が検出された場合は，前記第２の制御手段から前記レベル変化信号が出力されているため，前記第２の電源コードによって前記第２の制御手段に電力供給が行われていると判断することができる。
そこで，前記第１の制御手段が，前記レベル変化信号検出手段により前記レベル変化信号の入力が検出された場合に，前記シリアル通信における通信異常である旨を報知する通信異常報知手段を更に備えてなることが望ましい。なお，前記通信異常報知手段は，前記シリアル通信における通信異常である旨を前記所定の表示手段に表示することによりユーザに報知するものであっても，或いは前記シリアル通信における通信異常である旨を所定の通信ネットワークを介してメンテナンスサーバなどに報知するものであってもよい。
これにより，前記第２の電源コードが接続されていないこと以外の原因によるシリアル通信異常が発生していることを知ることができるので，サービスマンへの連絡等，速やかに異常時の対応を取ることができ，早期に画像形成装置を正常な状態に復旧させることができる。
なお，前記確認表示手段が前記表示手段に表示させる前記既定の情報とは，具体的には前記第２の電源コードと商用交流電源との接続確認を促す情報であることが考えられる。
また，前記所定の制御対象機器としては，具体的には定着装置が挙げられる。
【発明の効果】
【０００８】
本発明によれば，前記画像形成装置の既存のハード構成を用いて，前記第２の電源コードが前記商用交流電源に接続されていないことが原因で前記シリアル通信に異常が生じている可能性がある場合にその旨をユーザに通知することのできる構成を実現することができる。従って，前記特許文献１のように電源コードが接続されていないことを検出するためのハード構成を別途設ける必要が無く，構成を簡素化してコストを抑制することができる。もちろん，前記所定の表示手段に対する前記既定の情報の表示によって前記第２の電源コードの接続確認がユーザに促されるため，実際に前記第２の電源コードが接続されていない場合は，前記シリアル通信の異常状態の早期復旧を図ることができる。
【図面の簡単な説明】
【０００９】
【図１】本発明に係る画像形成装置の概略構成を示すブロック図。
【図２】本発明に係る画像形成装置の通信制御処理の手順の一例を示すフローチャート。
【発明を実施するための形態】
【００１０】
以下添付図面を参照しながら，本発明の実施の形態について説明し，本発明の理解に供する。尚，以下の実施の形態は，本発明を具体化した一例であって，本発明の技術的範囲を限定する性格のものではない。
まず，図１を用いて，本発明の実施の形態に係る複合機Ｘの概略構成について説明する。
図１に示すように，本発明の実施の形態に係る複合機Ｘは，メイン制御部１，操作表示部２，画像読取部３，画像処理部４，画像形成部５，定着装置６，電源装置７，遮断回路８などを備えて概略構成されている。なお，前記複合機Ｘは，本発明に係る画像形成装置の一例に過ぎず，例えば複写機やファクシミリ装置，プリンタ装置なども本発明に係る画像形成装置に該当する。
【００１１】
前記メイン制御部１は，ＣＰＵ及びＲＯＭ，ＲＡＭ等の周辺装置を有しており，前記ＣＰＵで前記ＲＯＭに格納された所定の制御プログラムに従った処理を実行することにより，当該複合機Ｘを統括的に制御するものである。なお，前記メイン制御部１は，集積回路（ＡＳＩＣ）などの電子回路で構成されたものであってもよい。
さらに，前記メイン制御部１は，前記定着装置６に設けられた後述の定着制御部６３との間で信号伝送を行うための通信インターフェースとして通信ポート１１を備えている。例えば，前記メイン制御部１は，前記定着制御部６３との間で予め定められた所定の制御プロトコルに従ったシリアル通信を前記通信ポート１１を介して実行する。
ここに，本実施の形態では，前記メイン制御部１及び前記定着制御部６３を第１の制御手段及び第２の制御手段の一例として説明する。一方，例えば前記メイン制御部１と前記画像形成部５に設けられるエンジン制御部（ＣＰＵ），又は前記エンジン制御部と前記定着制御部６３を第１の制御手段及び第２の制御手段と捉えてもよい。また，前記定着装置６の定着制御部６３に限らず，例えばパンチ処理やステープル処理などの後処理を実行する後処理装置（制御対象機器）が設けられる場合には，前記メイン制御部１及び前記後処理装置を制御する制御部が第１の制御手段及び第２の制御手段に該当する。
【００１２】
前記操作表示部２は，当該複合機Ｘにおける各種の情報の表示や，ユーザによる入力操作を行うための液晶ディスプレイ，タッチパネル，各種操作キーなどを有している。
前記画像読取部３は，原稿台（不図示）に載置された原稿或いは自動原稿送り装置（ＡＤＦ，不図示）により搬送された原稿の画像を読み取るＣＣＤ等を有している。
前記画像処理部４は，前記画像読取部３によって読み取られた画像データ或いは外部から入力された画像データに対して各種の画像処理を施すものである。
前記画像形成部５は，感光体ドラムや現像装置などの周知の電子写真方式の画像形成部の構成要素を備えており，給紙カセットから供給された用紙に対し，前記画像処理部４における各種の画像処理後の画像データに基づいてモノクロ画像又はカラー画像を形成する画像形成手段である。
【００１３】
前記定着装置６は，前記画像形成部５によってトナー像が転写された用紙に該トナー像を溶融定着させるものであって，前記画像形成部５から搬送される用紙を圧接しながら回転する一対の定着ローラ６１と，該定着ローラ６１を誘導加熱により加熱する加熱ヒータ６２と，前記メイン制御部１からの制御指示に従って前記定着ローラ６１や前記加熱ヒータ６２等，前記定着装置６全体の駆動を制御する定着制御部６３とを備えている。
前記定着制御部６３は，ＣＰＵ及びＲＯＭ，ＲＡＭ等の周辺装置を有しており，前記ＣＰＵで前記ＲＯＭに格納された所定の制御プログラムに従った処理を実行することにより，前記加熱ヒータ６２の設定温度や駆動の有無などを制御する。なお，前記定着制御部６３は，集積回路（ＡＳＩＣ）などの電子回路で構成されたものであってもよい。
さらに，前記定着制御部６３は，前記メイン制御部１との間で信号伝送を行うための通信インターフェースとして通信ポート６４を備えている。例えば，前記定着制御部６３は，前記メイン制御部１との間で予め定められた所定の制御プロトコルに従ったシリアル通信を前記通信ポート６４を介して実行する。
【００１４】
また，前記複合機Ｘは，前記電源装置７に電力を供給するために商用交流電源に接続される電源コード９１（第１の電源コードの一例）と，前記定着装置６に電力を供給するために商用交流電源に接続される電源コード９２（第２の電源コードの一例）とを備えている。
前記電源装置７は，前記電源コード９１を介して商用交流電源から供給された交流電圧を変圧し，前記定着装置６を除く，前記メイン制御部１，前記操作表示部２，前記画像読取部３，前記画像処理部４及び前記画像形成部５などに対して駆動電力を供給する。
一方，前記定着装置６では，内部に設けられた不図示の電源装置によって前記電源コード９２を介して商用交流電源から供給される交流電圧に基づいて，前記加熱ヒータ６２や前記定着制御部６３に駆動電力が供給される。即ち，前記複合機Ｘにおいて，前記メイン制御部１及び前記定着制御部６３には，前記電源コード９１及び前記電源コード９２が前記商用交流電源接続されることによって個別に電力が供給される。
また，前記遮断回路８は，前記電源コード９２から前記定着装置６への電力供給を強制的に遮断するためのリレー等を有する回路であって，該遮断の有無は前記メイン制御部１によって制御される。
【００１５】
そして，前記複合機Ｘでは，前記メイン制御部１及び前記定着制御部６３が，相互に設けられた前記通信ポート１１及び前記通信ポート６４を介して所定の通信プロトコルに従ったシリアル通信を行うことにより，前記メイン制御部１から前記定着制御部６３に制御指令が伝達される。これにより，前記定着制御部６３は，前記メイン制御部１から伝送される前記制御指令に基づいて前記定着装置６（制御対象機器の一例）を制御する。
ところで，前記複合機Ｘでは，前記メイン制御部１及び前記定着制御部６３への電力供給が，前記電源コード９１，９２を介して個別に行われるため，前記電源コード９１のプラグだけが商用交流電源のコンセントに接続され，前記電源コード９２のプラグが商用交流電源のコンセントに接続されない状況も想定される。この場合，前記複合機Ｘにおいて，前記電源コード９２から電力供給を受ける前記定着装置６だけが非駆動状態となり，該定着装置６を除く前記メイン制御部１などは駆動状態となる。そのため，前記メイン制御部１と前記定着制御部６３との間で実行されるシリアル通信に異常が生じ，前記複合機Ｘにおいて印刷処理等を正常に実行することはできない。このとき，本来はユーザが前記電源コード９２を商用交流電源に接続すれば前記シリアル通信の異常を復旧させることができる。
【００１６】
しかしながら，前記複合機Ｘにおいて生じる前記シリアル通信の異常の原因は，前記電源コード９２が接続されていないために前記定着制御部６３が非駆動状態となっていることの他，例えば前記シリアル通信時のノイズなどによるものなどであることも考えられる。そのため，前記シリアル通信の異常原因が特定できず，前記シリアル通信の異常復旧に時間を要するおそれがある。
一方，前記電源コード９２が接続されていない場合には前記定着制御部６３が非駆動状態となるため，該定着制御部６３の駆動の有無を確認することができれば，前記電源コード９２が商用交流電源に接続されていない可能性を判断することができる。
そこで，本発明の実施の形態に係る前記複合機Ｘでは，前記メイン制御部１及び前記定着制御部６３によって後述の通信制御処理が実行されることにより，既存のハード構成を利用して前記電源コード９２が商用交流電源に接続されていない可能性が判断され，その可能性がある場合に前記電源コード９２の接続確認を促す旨がユーザに通知される。
【００１７】
以下，図２のフローチャートに従って，前記複合機Ｘにおいて前記メイン制御部１及び前記定着制御部６３によって実行される通信制御処理の手順の一例について説明する。なお，図２（ａ）のＳ１，Ｓ２，…は前記メイン制御部１の処理手順（ステップ）の番号を表し，図２（ｂ）のＳ２１，Ｓ２２，…は前記定着制御部６３の処理手順（ステップ）の番号を表している。
なお，前記メイン制御部１が前記シリアル通信によって前記定着制御部６３に対して制御指令を伝送するための処理も，当該通信制御処理と並行して実行されるが，その処理については従来と同様であるため，ここでは説明を省略する。
【００１８】
（メイン制御部１側：ステップＳ１〜Ｓ３）
まず，図２（ａ）に示すように，ステップＳ１において，前記メイン制御部１は，前記定着制御部６３との間の通信モードを，所定の通信プロトコルに従ったシリアル通信を実行するシリアル通信モードに設定する。
そして，ステップＳ２において，前記メイン制御部１は，前記通信ポート１１を介して前記定着制御部６３との間でシリアル通信を実行することにより，前記定着制御部６３に所定間隔（例えば１６０ｍｓ）でコマンド信号（定期信号に相当）を送信する。ここに，係る処理を実行するときの前記メイン制御部１が定期信号送信手段に相当する。
次に，ステップＳ３において，前記メイン制御部１は，前記ステップＳ２で前記コマンド信号が送信されてから予め設定された所定時間内（例えば１６０ｍｓ）に，前記定着制御部６３からの応答信号が受信されたか否かを判断する。
ここで，前記所定時間内に前記応答信号が受信されたと判断された場合（Ｓ３のＹｅｓ側），処理は前記ステップＳ２に戻され，その後も前記メイン制御部１は前記所定間隔で前記コマンド信号を送信する。
一方，前記メイン制御部１及び前記定着制御部６３の間のシリアル通信に異常が生じている場合等，前記所定時間内に前記応答信号が受信されないと判断された場合（Ｓ３のＮｏ側），処理はステップＳ４に移行する。なお，前記シリアル通信の異常には，前記ステップＳ３において所定時間内に前記応答信号が受信されなかった場合の他，制御指令通信時のパリティビットやチェックサムによりシリアル通信の異常が検出された場合も含まれる。
【００１９】
（メイン制御部１側：ステップＳ４〜Ｓ５）
続いて，前記メイン制御部１は，ステップＳ４において，前記所定時間内に前記定着制御部６３からの応答信号が正常に受信されなかった回数を示すリトライ回数Ｎが所定回数（例えば３回）以上であるか否かを判断する。なお，前記リトライ回数Ｎは，前記ステップＳ３において前記所定時間内に前記定着制御部６３からの応答信号が正常に受信されたと判断された場合に，前記メイン制御部１によってリセットされるものであり，その初期値は「１」である。
ここで，前記リトライ回数Ｎが所定回数未満であると判断された場合（Ｓ４のＮｏ側），処理はステップＳ５に移行する。そして，ステップＳ５では，前記メイン制御部１によって，前記リトライ回数Ｎが「１」だけ加算され（Ｎ＝Ｎ＋１），処理が前記ステップＳ２に戻される。これにより，前記ステップＳ２において，前記メイン制御部１はシリアル通信によって前記コマンド信号を前記定着制御部６３に再送することとなる。
他方，前記リトライ回数Ｎが所定回数以上であると判断された場合（Ｓ４のＹｅｓ側），即ち前記コマンド信号を所定回数以上繰り返し送信した後でも前記応答信号が前記シリアル通信によって正常に受信されなかった場合には，シリアル通信異常が発生していると判断し，処理は後段で説明するステップＳ６に移行する。なお，ここでは前記リトライ回数が所定回数以上であることを条件にシリアル通信異常の発生を検知しているが，予め設定された所定期間経過後も前記応答信号が受信されない場合にシリアル通信に異常が発生していると判断してもよい。
【００２０】
（定着制御部６３側：ステップＳ２１〜Ｓ２４）
一方，図２（ｂ）に示すように，前記定着制御部６３は，ステップＳ２１において，前記メイン制御部１との間の通信モードを，該メイン制御部１と同じく所定の通信プロトコルに従ったシリアル通信を実行するシリアル通信モードに設定する。
そして，ステップＳ２２において，前記定着制御部６３は，前記通信ポート６４を介して行われるシリアル通信によって，前記メイン制御部１からの前記コマンド信号が予め設定された所定時間内（例えば５００ｍｓ）に正常に受信されたか否かを判断する。なお，この所定時間は，前記メイン制御部１が前記ステップＳ４において，前記リトライ回数Ｎが所定回数以上であると判断されるまでの時間よりも長い時間である。
ここで，前記所定時間内に前記コマンド信号がシリアル通信によって正常に受信されたと判断された場合（Ｓ２２のＹｅｓ側），処理はステップＳ２３に移行する。そして，ステップＳ２３では，前記定着制御部６３は，前記メイン制御部１からの前記コマンド定期信号の受信に応答して，前記通信ポート６４を介してシリアル通信を実行することにより，前記メイン制御部１に応答信号を送信する。ここに，係る送信処理を実行するときの前記定着制御部６３が応答信号送信手段に相当する。
他方，前記所定時間内に前記コマンド信号がシリアル通信によって正常に受信されなかったと判断された場合（Ｓ２２のＮｏ側），処理はステップＳ２４に移行する。そして，ステップＳ２４では，前記定着制御部６３は，前記加熱ヒータ６２の駆動を強制的に停止させる。これにより，前記メイン制御部１と前記定着制御部６３との間のシリアル通信に異常が生じた場合でも，前記加熱ヒータ６２の駆動が停止されることにより，該加熱ヒータ６２による異常加熱が防止される。
【００２１】
（定着制御部６３側：ステップＳ２５〜Ｓ２６）
続いて，ステップＳ２５において，前記定着制御部６３は，前記メイン制御部１との間の通信モードを，前記シリアル通信モードから出力ポートモードに切り換える。即ち，前記複合機Ｘにおいて，前記通信ポート６４は，前記シリアル通信モード及び前記出力ポートモードにおける前記メイン制御部１との間の信号伝送に兼用される。例えば，前記通信ポート６４は，前記シリアル通信モードにおいて前記メイン制御部１の通信ポート１１との間でシリアル通信を受信するための非同期式シリアル通信処理や同期式シリアル通信処理等を実行するものであるが，前記定着制御部６３によって前記出力ポートモードに切り換えられることにより，それらのシリアル通信処理を停止し，単に前記定着制御部６３からのデジタル信号を出力する出力ポートとして機能するものである。
そして，ステップＳ２６において，前記定着制御部６３は，前記通信ポート６４から前記メイン制御部１に対して，既定間隔（例えば５０ｍｓ）で信号レベル（電圧レベル）が「０」と「１」との間で変化する反転信号（レベル変化信号に相当）の出力を開始する。ここに，係る出力処理を実行するときの前記定着制御部６３が異常時信号出力手段に相当する。
なお，その後，前記定着制御部６３は，前記複合機Ｘの主電源がＯＦＦされることにより，或いは予め設定された所定時間が経過することにより，前記反転信号の出力を停止する。
【００２２】
（メイン制御部１側：ステップＳ６〜Ｓ７）
次に，図２（ａ）に戻り，前記メイン制御部１で実行されるステップＳ６以降の処理について説明する。
前記メイン制御部１は，ステップＳ６において，前記定着制御部６３との間の通信モードを，前記シリアル通信モードから入力ポートモードに切り換える。即ち，前記複合機Ｘにおいて，前記通信ポート１１は，前記シリアル通信モード及び前記入力ポートモードにおける前記定着制御６３との間の信号伝送に兼用される。例えば，前記通信ポート１１は，前記シリアル通信モードにおいて前記定着制御部６３の通信ポート６４との間でシリアル通信を受信するための非同期式シリアル通信処理や同期式シリアル通信処理等を実行するものであるが，前記メイン制御部１によって前記入力ポートモードに切り換えられることにより，それらのシリアル通信処理を停止し，単に前記通信ポート１１に入力されるデジタル信号を前記メイン制御部１に入力する入力ポートとして機能するものである。
そして，ステップＳ７において，前記メイン制御部１は，予め設定された所定時間（例えば２０ｍｓ）ごとに，前記通信ポート１１に前記定着制御部６３からの前記反転信号が入力されているか否かを判断する。ここに，係る処理を実行するときの前記メイン制御部１がレベル変化信号検出手段に相当する。
ここで，前記反転信号が入力されていると判断された場合には（Ｓ７のＹｅｓ側），処理はステップＳ８に移行する。この場合，前記定着制御部６３から前記反転信号が入力されていることから，前記電源コード９２が接続されており，前記定着制御部６３が駆動していると判断することができる。
【００２３】
（メイン制御部１側：ステップＳ８〜Ｓ９）
そこで，ステップＳ８において，前記メイン制御部１は，前記定着制御部６３との間のシリアル通信で異常が生じている旨を前記操作表示部２に表示させる。なお，前記メイン制御部１は，前記定着制御部６３との間のシリアル通信に異常が生じている旨を，不図示の通信ネットワークを介して所定の管理サーバなどに報知するものであってもよい。ここに，係る報知処理を実行するときの前記メイン制御部１が通信異常報知手段に相当する。
続いて，ステップＳ９において，前記メイン制御部１は，前記遮断回路８によって前記電源コード９２から前記定着装置６に供給される電力を強制的に遮断することにより，該定着装置６の駆動を停止させる。これにより前記定着制御部６３自体に異常が生じたことが原因でシリアル通信に異常が生じている場合であっても，前記定着装置６における前記加熱ヒータ６２の異常加熱を防止して安全性を確保することができる。
【００２４】
（メイン制御部１側：ステップＳ１０〜Ｓ１１）
一方，前記メイン制御部１は，前記反転信号が予め設定された所定時間経過後も入力されなかった場合（Ｓ７のＮｏ側），処理はステップＳ１０に移行する。この場合，前記反転信号が前記通信ポート１１に入力されていないため，前記定着制御部６３が駆動していない可能性があり，その原因が前記電源コード９２が商用交流電源のコンセントに接続されていないことにある可能性がある。
そこで，ステップＳ１０において，前記メイン制御部１は，前記電源コード９２の接続確認を促すための既定の情報を前記操作表示部２に表示させる。例えば，前記既定の情報は，「定着装置用の電源コードがコンセントに接続されているか確認して下さい」という文字情報であることが考えられる。ここに，係る表示処理を実行するときの前記メイン制御部１が確認表示手段に相当する。
これにより，ユーザは前記操作表示部２を参照することで，前記電源コード９２が接続されていない可能性があることを認識することができるため，実際に前記電源コード９２が接続されていない場合，その電源コード９２をコンセントに接続することにより，早期に前記定着制御部６３を駆動させて前記複合機Ｘを正常に動作させることが可能となる。
その後，前記メイン制御部１は，ステップＳ１１において，ユーザによる前記複合機Ｘの主電源スイッチ（不図示）のオフ／オン操作を待ち受ける（Ｓ１１のＮｏ側）。そして，前記主電源スイッチ（不図示）のオフ／オン操作が確認されると（Ｓ１１のＹｅｓ側），処理は前記ステップＳ１に戻される。もちろん，前記メイン制御部１が電源投入時には常に前記通信制御処理を前記ステップＳ１から開始する構成であれば前記ステップＳ１１の処理は省略可能である。なお，前記ステップＳ１１での主電源スイッチのオフ／オン操作は，前記メイン制御部１を再起動させるために行われるもので，必ずしも主電源スイッチのオフ／オン操作に限定されず，前記操作表示部２に対するエラーをキャンセルするためのユーザ操作等に応じて処理が前記ステップＳ１に戻されてもよい。
【００２５】
以上説明したように，前記複合機Ｘでは，前記メイン制御部１及び前記定着制御部６３によって前記通信制御処理が実行されることにより，前記通信ポート１１，６３などの既存のハード構成を用いて，前記電源コード９２が商用交流電源に接続されていないことが原因で前記シリアル通信に異常が生じている可能性があるか否かが判断され，その可能性が場合にその旨をユーザに通知することのできる構成が実現される。
従って，前記電源コード９２が接続されていないことを検出するためのハード構成を別途設ける必要が無く，前記特許文献１に比べて構成を簡素化してコストを抑制することができる。もちろん，前記電源コード９２が商用交流電源に接続されていないことが原因で前記シリアル通信に異常が生じている場合には，前記操作表示部２の表示により前記電源コード９２の接続確認がユーザに促されるため，実際に前記電源コード９２が接続されていない場合は，前記シリアル通信の異常状態の早期復旧を図ることができ，前記複合機Ｘの稼働効率の低下を防止することができる。
【符号の説明】
【００２６】
Ｘ  ：複合機（画像形成装置の一例）
１  ：メイン制御部（第１の制御手段の一例）
１１：通信ポート
２  ：操作表示部（所定の表示手段の一例）
３  ：画像読取部
４  ：画像処理部
５  ：画像形成部
６  ：定着装置
６１：定着ローラ
６２：加熱ヒータ
６３：定着制御部（第２の制御手段の一例）
６４：通信ポート
７  ：電源装置
８  ：遮断回路
９１：電源コード（第１の電源コードの一例）
９２：電源コード（第２の電源コードの一例）
【図１】
2011209491.tif 000003
【図２】
2011209491.tif 000004